(57)【要約】【課題】視聴者からの再放送要求数と再放送権落札条件をスポンサーに提示し、スポンサーからの再放送権落札に応じて番組を再放送する番組再放送システムを提供する。【解決手段】番組放送局１は、視聴者２７の番組記録装置２からの再放送要求を受け取り、要求受付番号１２ａを返すと共に再放送要求数と再放送権落札条件を含む再放送権出品情報１５ａと再放送時間枠情報１７ａをスポンサー３に開示する。スポンサー３の入札を受け、落札された番組は情報通信網または放送網を通じて視聴者２７に再放送情報１５ｃと要求受付番号１２ａを送付したのち再放送する。視聴者側の番組記録装置２は、放送局からの再放送情報と要求受付番号１２ａに基づく記録予約により再放送要求した番組の再放送を記録する。【選択図】図１
2008294875.tif 000002
【特許請求の範囲】
【請求項１】
番組放送局において情報通信網を通じて視聴者識別情報を含む特定番組の再放送要求を受信するステップと、
番組放送局において特定番組の再放送要求を認識し、それを記憶するとともに特定番組に関連する要求受付番号を生成して前記視聴者識別情報に基づき視聴者に送出するステップと、
番組放送局において特定番組の再放送要求を集計して再放送権出品情報としてスポンサーに提示するステップと、
スポンサーが前記再放送権出品情報を判断して前記番組放送局に入札情報を提示するステップと、
番組放送局において前記入札情報が再放送可能な条件であると判断すると再放送を決定し再放送送出の予約を設定するとともに情報通信網または放送網を通じて再放送情報と前記要求受付番号を送出するステップと、
視聴者は番組記録装置において受信した再放送情報と前記要求受付番号に基づいて番組記録予約設定を行うステップと、
番組放送局が前記再放送送出の予約に基づいて放送網または情報通信網を通じて再放送を行うステップとを有することを特徴とする番組再放送方法。
【請求項２】
番組放送局側に、
番組とその再放送権落札条件を記憶する番組記憶手段と、
該番組の再放送時間枠情報を記憶する再放送時間枠記憶手段と、
放送済みの番組の再放送要求情報を情報通信網から受け取る再放送要求受け取り手段と、
該再放送要求情報に対応する要求受付番号を生成して情報通信網へ送信する要求受付番号生成手段と、
再放送要求数を記録する再放送要求記録手段と、
前記要求受付番号を記憶する要求受付番号記憶手段と、
再放送要求数と設定した再放送権落札条件を基に再放送権出品情報と前記再放送時間枠情報とをスポンサーに開示し、スポンサーからの入札を受け、落札した場合番組情報と再放送時間枠情報とを番組送出制御手段に設定する再放送権入札手段と、
前記再放送権入札手段の設定に基づき放送網または情報通信網から番組再放送情報を送出し、かつ放送網または情報通信網から番組を再放送する番組送出制御手段とを備えたことを特徴とする番組再放送システム。
【請求項３】
請求項２記載の番組再放送システムであって、
視聴者側の番組記録装置が、
視聴者が再放送要求を入力する再放送要求入力手段と、前記再放送要求情報を情報通信網経由で放送局に送出する再放送要求送信手段と、
前記再放送要求に対して番組放送局から送られてきた要求受付番号を記憶する要求受付番号記憶手段と、
放送網または情報通信網から番組再放送情報を受信して前記要求受付番号と照合して再放送の記録を予約する記録予約手段と、
前記番組予約手段が予約した番組を放送網または情報通信網から受信して記録する番組記録手段とを備えたことを特徴とする番組再放送システム。
【発明の詳細な説明】
【技術分野】
【０００１】
本発明は、視聴者の再放送要求に応じてスポンサーの入札を受け、番組の再放送を行う番組再放送方法およびシステムに関するものである。
【背景技術】
【０００２】
番組放送局は視聴者の再放送要求を受け取り、要望の多い番組に対しては再放送を検討し、条件が整えば再放送を行っている。このとき、情報通信網を経由して再放送の要求を収集し、再放送の要求数に応じて自動的に再放送する情報配信システムが開発されている（特許文献1参照）。
【特許文献１】特開２００１−２９２１１４号公報（全文）
【発明の開示】
【発明が解決しようとする課題】
【０００３】
しかしながら、特許文献１のシステムでは、民間放送局での放送に必要となるスポンサーとの調整が含まれていない。このため、一般の民間放送での再放送システムとしては利用できなかった。
【０００４】
本発明は、視聴者からの再放送要求数と再放送権落札条件をスポンサーに提示し、スポンサーからの再放送権落札に応じて番組を再放送する番組再放送方法およびシステムを提供することを目的とする。
【課題を解決するための手段】
【０００５】
上記課題を解決するために、本発明の番組再放送方法は、番組放送局において情報通信網を通じて視聴者識別情報を含む特定番組の再放送要求を受信するステップと、番組放送局において特定番組の再放送要求を認識し、それを記憶するとともに特定番組に関連する要求受付番号を生成して前記視聴者識別情報に基づき視聴者に送出するステップと、番組放送局において特定番組の再放送要求を集計して再放送権出品情報としてスポンサーに提示するステップと、スポンサーが前記再放送権出品情報を判断して前記番組放送局に入札情報を提示するステップと、番組放送局において前記入札情報が再放送可能な条件であると判断すると再放送を決定し再放送送出の予約を設定するとともに情報通信網または放送網を通じて再放送情報と前記要求受付番号を送出するステップと、視聴者は番組記録装置において受信した再放送情報と前記要求受付番号に基づいて番組記録予約設定を行うステップと、番組放送局が前記再放送送出の予約に基づいて放送網または情報通信網を通じて再放送を行うステップとを有することを特徴とするものである。
【０００６】
また上記課題を解決するために、本発明の番組再放送システムは、番組放送局側に、番組とその再放送権落札条件を記憶する番組記憶手段と、該番組の再放送時間枠情報を記憶する再放送時間枠記憶手段と、放送済みの番組の再放送要求情報を情報通信網から受け取る再放送要求受け取り手段と、該再放送要求情報に対応する要求受付番号を生成して情報通信網へ送信する要求受付番号生成手段と、再放送要求数を記録する再放送要求記録手段と、前記要求受付番号を記憶する要求受付番号記憶手段と、再放送要求数と設定した再放送権落札条件を基に再放送権出品情報と前記再放送時間枠情報とをスポンサーに開示し、スポンサーからの入札を受け、落札した場合番組情報と再放送時間枠情報とを番組送出制御手段に設定する再放送権入札手段と、前記再放送権入札手段の設定に基づき放送網または情報通信網から番組再放送情報を送出し、かつ放送網または情報通信網から番組を再放送する番組送出制御手段とを備えたことを特徴とするものである。
【０００７】
さらに上記番組再放送システムにおいて、視聴者側の番組記録装置が、視聴者が再放送要求を入力する再放送要求入力手段と、前記再放送要求情報を情報通信網経由で放送局に送出する再放送要求送信手段と、前記再放送要求に対して番組放送局から送られてきた要求受付番号を記憶する要求受付番号記憶手段と、放送網または情報通信網から番組再放送情報を受信して前記要求受付番号と照合して再放送の記録を予約する記録予約手段と、
前記番組予約手段が予約した番組を放送網または情報通信網から受信して記録する番組記録手段とを備えたことを特徴とするものである。
【発明の効果】
【０００８】
本発明は、上記の方法またはシステムによって、視聴者からの再放送要求数と再放送権落札条件をスポンサーに提示し、スポンサーからの再放送権落札に応じて番組を再放送することができるものである。
【０００９】
また、本発明は、視聴者が放送局に対して、視聴し忘れたり録画し忘れたりした番組の再放送を要求することができ、要求した番組が再放送されたときには自動的に再放送番組を録画することができるものである。
【発明を実施するための最良の形態】
【００１０】
図１は本発明の一実施形態における番組再放送システムのブロック図、図２は同じくそのシステムの番組記録装置における再放送要求フロー図、図３は同じくそのシステムの番組放送局における再放送要求処理フロー図、図４は同じくそのシステムの番組記録装置における再放送記録予約処理フロー図である。
【００１１】
このシステムは番組放送局1と、視聴者の手元にある、たとえばテープ、ＤＶＤ記録媒体、ハードディスクまたは半導体記憶装置等を記録媒体とした番組記録装置２と、スポンサー３からなり、番組放送局（以下放送局）1は再放送要求受け取り手段１１、要求受付番号生成手段１２、要求受付番号記憶手段１３、再放送要求記憶手段１４、再放送権入札手段１５、番組記憶手段１６、再放送時間枠記憶手段１７、番組送出制御手段１８からなる。
【００１２】
視聴者２７の手元にある番組記録装置２は放送済み番組表表示手段２１、再放送要求入力手段２２、再放送要求送信手段２３、要求受付番号記憶手段２４、記録（映像・音声だけでなく、たとえば音声のみの記録も含む）予約手段２５、各種の記録媒体に記録する番組記録手段２６からなっている。
【００１３】
このように構成され、つぎにその動作を図２〜図４のフロー図とともに説明する。まず図２によって番組記録装置が再放送を要求する処理を説明する。Ｓ２０１において視聴者２７が、番組記録装置２の放送済み番組表表示手段２１に表示された、たとえばＥＰＧ情報による番組表を開いて、それに従って再放送して欲しい特定の番組を選び、再放送入力手段２２に再放送要求２７ａを入力する。
【００１４】
Ｓ２０２において再放送要求送信手段２３は、放送局１に対して、再放送要求情報２３ａおよび視聴者識別情報２３ｂを、たとえば電話線やインターネット等の情報通信網を通じて放送局１に送信する。この視聴者識別情報２３ｂは、１人の視聴者が重複要求をして要求が多かったように見せかけるのを防ぐとか、放送局側から回答を必要とする場合に備えるもので、あらかじめ放送局との契約によってユニークな番号を取得してもよく、ＣＰＵ番号や機器の製造番号でもよく、または回答を受取るための電話番号でもよい。
【００１５】
Ｓ２０３で再放送要求送信手段２３は放送局１から再放送の場合の番組に関連した要求受付番号１２ａを情報通信網を通じて受取り、Ｓ２０４で要求受付番号１２ａを要求受付番号記憶手段２４に記憶する。
【００１６】
つぎに図３によって、放送局1が再放送要求を処理する経緯を説明する。放送局１の再放送要求受取り手段１１が、Ｓ３０１において、情報通信網を通じて視聴者２７の番組記録装置２からの再放送要求情報２３ａおよび視聴者識別情報２３ｂを受信すると、要求受付番号生成手段１２は、視聴者識別情報から、重複要求でないかどうか確認の上、Ｓ３０２で要求受付番号１２ａを生成する。この要求受付番号は再放送されたときの番組に関連している情報が埋め込まれているものとする。
【００１７】
Ｓ３０３で要求受付番号１２ａを要求受付番号記憶手段１３に記憶し、Ｓ３０４で視聴者２７の番組記憶装置２に要求受付番号１２ａを送信し、Ｓ３０５で再放送要求記憶手段１４に再放送要求情報２３ａを記憶する。
【００１８】
なお、要求受付番号記憶手段１３と再放送要求記憶手段１４は１つの記憶装置にペアで記憶しても差し支えない。
【００１９】
Ｓ３０６で再放送権入札手段１５はスポンサー３に、再放送要求情報２３ａを集計して再放送権出品情報１５ａと、たとえば、あらかじめ再放送する場合に予定して再放送時間枠記憶手段１７に記憶している再放送時間枠情報１７ａとを送信する。そしてＳ３０７でスポンサー３からの入札を待つ。
【００２０】
スポンサー３は開示された再放送権出品情報１５ａを元に入札を検討する。検討の結果、スポンサー３が入札する場合にはスポンサー料などの入札情報３ａが再放送入札手段１5に送られる。Ｓ３０８でスポンサー３からの入札情報３ａを受信すると、再放送入札手段１５は、Ｓ３０９であらかじめ決めた再放送権落札条件情報１６ｂに合致するかどうか検討し、落札条件に合えばＳ３１０で落札情報１５ｂをスポンサー３に送信するとともに再放送を決定する。
【００２１】
Ｓ３１１で番組送出制御手段１８は再放送情報１５ｃと要求受付番号情報１２ａとを放送網または情報通信網を通じて視聴者２７の番組記録装置２に送信する。後述のように番組記録装置２の記録予約手段２５は、この２つの情報を照合して、この再放送を要求した番組受付番号１２ａが要求受付番号記憶手段２４を参照して，記録があれば記録予約手段２５に記憶する。
【００２２】
そしてＳ３１２で番組送出制御手段１８に再放送時間枠記憶手段１７に記憶された再放送時間枠情報１７ａを基に番組１６ａの再放送送出を予約設定する。そうすれば再放送時間枠情報１７ａに基づいて番組記憶手段１６に記憶された番組１６ａが放送される。
【００２３】
つぎに、図４において視聴者２７の番組記録装置２が再放送記録予約をする処理を説明する。Ｓ４０１で放送局１の再放送情報１５ｃ、要求受付番号情報１２ａを受信すると、Ｓ４０２で要求受付番号記憶手段２４に記憶している要求受付番号１２ａと照合して、Ｓ４０３で一致すればＳ４０４で再放送情報１５ｃに基づいて記録予約手段２５に記録（録画）予約を設定する。図３のＳ３１２の設定に基づいて放送網または上述の情報通信網を通じて番組１６ａが放送されると、番組記憶装置２では記録予約手段２５の記憶に基づいてこの放送を番組記録手段２６に記録する。
【００２４】
以上の動作により、視聴者からの再放送要求数と再放送権落札条件をスポンサーに提示し、スポンサーからの再放送権落札に応じて番組を再放送することができる。このことにより、放送局にとっては、視聴者からのニーズの高い番組を入札に応じて再放送することによって高いスポンサー収入を得ることができ、スポンサーにとっては、視聴が約束された番組のスポンサーとなることで確実な広告効果を得ることができる。
【００２５】
以上のように、視聴者が放送局に対して、視聴し忘れたり録画し忘れたりした番組の再放送を要求することができ、放送局は視聴者からの再放送要求数と再放送権落札条件をスポンサーに提示し、スポンサーからの再放送権落札に応じて番組を再放送することで、一般の民間放送での番組の再放送に利用する目的を実現し、視聴者は要求した番組が再放送されたときには自動的に再放送番組を録画することができる。
【００２６】
なお、ここで番組放送局として示したものは、一般的な電波を用いて視聴者に番組の放送を行うものばかりでなく、インターネットを用いて有線で番組を送信するもの、また有線放送等特定の視聴者に有線で番組を送信するもの等を含むものである。
【００２７】
さらに、上記実施形態で説明した各手段は、それぞれ独立のものだけでなく、１つの手段が他の手段の機能を合わせ持つものであってもよい。
【産業上の利用可能性】
【００２８】
本発明の番組再放送方法およびシステムは、視聴者からの再放送要求数と再放送権落札条件をスポンサーに提示し、スポンサーからの再放送権落札に応じて番組を再放送することで、放送局にとっては、視聴者からのニーズの高い番組を入札に応じて再放送することによって高いスポンサー収入を得ることができ、スポンサーにとっては、視聴が約束された番組のスポンサーとなることで確実な広告効果を得ることができるので、放送局の番組再放送方法およびシステムとして有用である。
【図面の簡単な説明】
【００２９】
【図１】本発明の一実施形態における番組再放送システムのブロック図
【図２】同じくそのシステムの番組記録装置における再放送要求フロー図
【図３】同じくそのシステムの番組放送局における再放送要求処理フロー図
【図４】同じくそのシステムの番組記録装置における再放送記録予約処理フロー図
【符号の説明】
【００３０】
１    番組放送局
２    番組記録装置
３    スポンサー
３ａ    入札情報
１１    再放送要求受け取り手段
１２    要求受付番号生成手段
１３    要求受付番号記憶手段
１４    再放送要求記憶手段
１５    再放送権入札手段
１６    番組記憶手段
１７    再放送時間枠記憶手段
１８    番組送出制御手段
２１    放送済み番組表表示手段
２２    再放送要求入力手段
２３    再放送要求送信手段
２３ａ    再放送要求情報
２３ｂ    視聴者識別情報
２４    要求受付番号記憶手段
２５    記録予約手段
２６    番組記録手段
２７    視聴者
【図１】
2008294875.tif 000003
【図２】
2008294875.tif 000004
【図３】
2008294875.tif 000005
【図４】
2008294875.tif 000006